(57)【要約】【課題】ペダルの向きが一定不変となってペダルどうしの接触事故を無くして人的被害の危険性を減らし、円滑に回動出来る水平回転式の下肢鍛錬器械を提供する。【解決手段】基盤上で回動可能にしたペダルを有している１対の回転盤と、その１対の回転盤を同時に回動させるための連動具を有している下肢鍛錬器械において、一対の回転盤の動向の軌跡を互いに点対称にしたうえペダルどうしの接触を防ぐ為に、歯数が同じ軸付き歯車の一方を一対の回転盤を装着する基盤上の双方の回転軸に軸止したうえ歯車自体も固定し、この二つの歯車と同時に噛合して回動する軸付き歯車を双方の回転盤の内側に軸止したうえもう一方の軸付き歯車を双方の回転盤の外側に軸止し、この双方の歯車の上面にペダルをそれぞれ固定する事により、ペダルを有する一対の回転盤を回動させてペダルの位置を変化させても双方のペダルの向きは一定不変となる。【選択図】図１
2014076249.tif 000002
【特許請求の範囲】
【請求項１】
基盤上で回動可能にしたペダルを有している１対の回転盤と、その１対の回転盤を同時に回動させるための連動具を有している下肢鍛錬器械において、歯車Ａ（４）を伴う軸Ａ（７）を一対の回転盤（２）を装着する基盤（１）上の二か所の中心にそれぞれ軸止したうえ歯車Ａ（４）自体もそれぞれ固定し、これらの歯車Ａ（４）と水平に噛合して回動する歯車Ｂ（５）を伴う軸Ｂ（８）を一対の回転盤（２）の双方の内側にそれぞれ軸止し、歯車Ａ（４）と歯数が同じであり歯車Ｂ（５）と水平に噛合して回動する歯車Ｃ（６）を伴う軸Ｃ（９）を装着位置として一段下げて設定した一対の回転盤（２）の双方の外側にそれぞれ軸止し、歯車Ｃ（６）の双方の上面に一対のペダル（１０）を前後の向きが一対の回転盤（２）の双方の中心軸を互いに結んだ直線と直角にしてそれぞれ固定する事により、ペダルを有する一対の回転盤を回動させてペダルの位置を変化させても双方のペダルの向きは一定不変となる構成としたことを特徴とする下肢鍛錬器械。
【請求項２】
ペダルを有する一対の回転盤の動向の軌跡を互いに点対称にする為に、ペダル（１０）を一対の回転盤（２）の周辺寄りにそれぞれ装着し、双方のペダル（１０）の配置を互いに１８０°転置したことを特徴とする請求項１に記載の下肢鍛錬器械。
【発明の詳細な説明】
【技術分野】
【０００１】  本発明は基盤上で回動可能にしたペダルを有している１対の回転盤と、その１対の回転盤を同時に回動させるための連動具を有している下肢鍛錬器械において、ペダルを有する一対の回転盤を回動させてペダルの位置を変化させても、双方のペダルの向きが一定不変となって円滑に回動出来る水平回転式の下肢鍛錬器械に関するものである。
【背景技術】
【０００２】  以前より、下肢を鍛錬する為に基盤上で回動可能にした１対の回転盤と、その１対の回  転盤を同時に回動させるための連動具を有している下肢鍛錬器械の発明及び考案は様々  になされていた。
【先行技術文献】
【特許文献】
【０００３】
【特許文献１】  登録実用新案第３１０５０６１号公報
【特許文献２】  特公昭４５−２１４５２号公報
【特許文献３】  特開２００５−２１８８５６号公報
【特許文献４】  特開平１０−７６０２４号公報
【特許文献５】  特開２００３−７９７６１号公報
【発明の概要】
【発明が解決しようとする課題】
【０００４】  解決しようとする問題点は、従来からの水平に回転する運動器械は下肢に係る殆どの筋肉に均等に負荷を掛ける事が出来なかった事と、この問題点を解消できる理想形のひとつとなる、一対のペダルを一対の回転盤の周辺寄りにそれぞれ装着して、一対の回転盤の動向の軌跡を互いに点対称にして回動させる方法は、装着方法がペダルの中心軸での軸着であった為に軸を中心にペダルが揺動してしまった事や、人間工学的に器械全体の製作幅が限られていた事などから、互いのペダルが内側で接近したときに力の掛け方によってペダルの向きが一定にならず、互いに接触して器具を損傷したうえ人的被害を受ける危険性が多かった点である。【０００５】  このペダルを有する一対の回転盤の動向の軌跡を互いに点対称にして回動させる方法は、外転と内転の双方で縫工筋・大腿筋膜張筋・大腿四頭筋・前脛骨筋・長指伸筋・腰三角筋・大殿筋・大腿二頭筋・半腱様筋・半腹様筋・腓腹筋・ヒラメ筋など、下肢に係る殆どの筋肉にほぼ均等に負荷を掛けられるので、下肢の穏やかな鍛錬や平衡感覚を養う必要のある身体的機能回復訓練には理想的な運動と考えられる。【０００６】  そこで、回転盤をどんなに素早く回動させても、偏った力をペダルに掛けても、双方のペダルの向きが変わらず一定方向を保ち、双方のペダルが互いに接近したときにも接触の危険性が無く、円滑に回動出来る水平回転式の下肢鍛錬器械を提供する。
【課題を解決するための手段】
【０００７】  本発明は基盤上で回動可能にしたペダルを有している１対の回転盤と、その１対の回転盤を同時に回動させるための連動具を有している下肢鍛錬器械において、それぞれの回転盤に歯数が同じ歯車二つとこの二つの歯車と同時に噛合する歯車を使い、それを一対の回転盤に装着する方法と一対のペダルを装着する方法によって課題を解決するが、その詳細は実施例に記載する。【０００８】  尚、「点対称」とはある点を中心に１８０度回転させたときに元の図形や点と一致する事を言い、「動向の軌跡」とは任意の点を定め移動したその点の連続した集合と定義する。
【発明の効果】
【０００９】  ペダルの向きが一定方向に固定されるので、ペダルどうしの接触事故が無くなり器具の損傷が少なくなるうえ人的被害の危険性も減少する。【００１０】  したがって、正しい姿勢で円滑に回転速度を上げられるので、安全に下肢の運動効果が得られる。【００１１】  さらに、一対のペダルを一定方向に固定しながら左右別々の方向に回動させて下肢全体の筋肉を使うので、下肢に係る殆どの筋肉にほぼ均等に負荷が掛けられる。【００１２】  尚、ペダルを有する一対の回転盤の動向の軌跡を互いに点対称にして回動させる方法は、左右の下肢の動作が互いに作用反作用となって力が働くため、ハンドルなどの支えも不要となり平衡感覚を養う効果も高くなる。【００１３】  特に下肢の使い方が重要になるスポーツや、穏やかな体力回復とともに平衡感覚を養う必要のある身体的機能回復訓練には理想的な方法と言える。
【図面の簡単な説明】
【００１４】
【図１】図４のＢ−Ｂ片面断面図である。
【図２】図３のＡ−Ａ片面断面図である。
【図３】本発明の平面図である。
【図４】本発明の正面図である。
【図５】本発明の右側面図である。
【図６】ペダル付き回転盤を時計回りに９０°動かしたときの平面図である。
【発明を実施するための形態】
【００１５】  本発明はペダルを有する一対の回転盤の動向の軌跡を互いに点対称にして回動させたとき、ペダルの向きが一定にならずに互いのペダルが内側で接近して接触し、人的被害を受ける危険性があった従来の欠点を改善して、円滑に回動出来て下肢の運動効果が得られる事を条件に実施した。
【実施例】
【００１６】  歯車Ａ（４）を伴う軸Ａ（７）を一対の回転盤（２）を装着する基盤（１）上の二か所の中心にそれぞれ軸止したうえ歯車Ａ（４）自体もそれぞれ固定する。【００１７】  つぎに、固定した双方の歯車Ａ（４）と水平に噛合して回動する歯車Ｂ（５）を伴う軸Ｂ（８）を一対の回転盤（２）の双方の内側にそれぞれ軸止する。【００１８】  さらに、基盤（１）に固定した歯車Ａ（４）と歯数が同じであるうえ歯車Ｂ（５）と水平に噛合して回動する歯車Ｃ（６）を伴う軸Ｃ（９）を装着位置として一段下げて設定した一対の回転盤（２）の双方の外側にそれぞれ軸止する。【００１９】  そのうえで、歯車Ｃ（６）の双方の上面に一対のペダル（１０）を前後の向きが一対の回転盤（２）の双方の中心軸を互いに結んだ直線と直角にしてそれぞれ固定する。【００２０】  そして、連動具（３）を一対の回転盤（２）に装着したうえこの一対の回転盤（２）を基盤（１）に軸Ａ（７）をもってそれぞれ軸着する。【００２１】  このとき、双方のペダル（１０）が固定されている双方の歯車Ｃ（６）の中心軸は一対の回転盤の動向の軌跡を互いに点対称にする為に、一対の回転盤（２）の二か所の中心軸を互いに結んだ直線上の内側に並置するか延長線上の外側に別々に配置する。【００２２】  尚、双方のペダル（１０）の上面には滑り止めを、一対の回転盤（２）や双方の歯車Ｃ（６）の下部には滑動を良くする為に様々な摩擦低減具を適宜実施するのが望ましい。【００２３】  また、歯車Ｂ（５）を同じ歯数の一対の歯車にして回転盤の直径などを調整する事や、基盤と回転盤に磁石などの様々な負荷装置を適宜装着して回動の負荷を上げる事も可能である。【００２４】  使い方は主に同じ方向に数回回動させた後、逆方向に同数を回動させて使用するのが下肢の筋肉に対してほぼ均等に効果が上げられるが、半弧を描いて揺動させる使用法も効果があり、いずれの場合にも左右の下肢の動作が互いに作用反作用となって力が働くため平衡感覚を失う事は無い。
【符号の説明】
【００２５】  １    基盤
２    回転盤（対のため左右共通）
３    連動具
４    歯車Ａ（対のため左右共通）
５    歯車Ｂ（対のため左右共通）
６    歯車Ｃ（対のため左右共通）
７    軸Ａ（対のため左右共通）
８    軸Ｂ（対のため左右共通）
９    軸Ｃ（対のため左右共通）
１０  ペダル（対のため左右共通）
１１  留め具（歯車Ａ及びＢに共通）【００２６】  尚、本発明は左右対称形のため、対の部品については符号の説明を左右共通とした。
【図１】
2014076249.tif 000003
【図２】
2014076249.tif 000004
【図３】
2014076249.tif 000005
【図４】
2014076249.tif 000006
【図５】
2014076249.tif 000007
【図６】
2014076249.tif 000008
【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
基盤上で回動可能にしたペダルを有している１対の回転盤と、その１対の回転盤を同時に回動させるための連動具を有している下肢鍛錬器械において、歯車Ａ（４）を伴う軸Ａ（７）を一対の回転盤（２）を装着する基盤（１）上の二か所の中心にそれぞれ軸止したうえ歯車Ａ（４）自体もそれぞれ固定し、これらの歯車Ａ（４）と水平に噛合して回動する歯車Ｂ（５）を伴う軸Ｂ（８）を一対の回転盤（２）の下面となる内側にそれぞれ軸止し、歯車Ａ（４）と歯数が同じであって歯車Ｂ（５）と水平に噛合して回動する歯車Ｃ（６）を伴う軸Ｃ（９）を一対の回転盤（２）の外周寄りで上面となる外側に装着するために、この歯車Ｃ（６）を伴う軸Ｃ（９）が格納できる適宜な容積相当の床面を回転盤（２）の上面から下げたうえ、側面に歯車Ｂ（５）と歯車Ｃ（６）が噛合するための開口部（１２）を有する設置空間をこの一対の回転盤（２）に造設し、この床面に歯車Ｃ（６）を伴う軸Ｃ（９）をそれぞれ軸止し、双方の歯車Ｃ（６）の上面にペダル（１０）をそれぞれ固定して、前後の向きが一対の回転盤（２）の双方の中心軸を結んだ線に直角に設置することにより、ペダルを有する一対の回転盤（２）を回動してペダル（１０）の位置を変化させても、双方のペダル（１０）は前方を向いたまま一定方向を保って回動する構成としたことを特徴とする下肢鍛錬器械。
【請求項２】
双方の歯車Ｃ（６）の上面に装着した双方のペダル（１０）の配置を互いに１８０度転置し、回動のときに双方のペダル（１０）の支点の動向の軌跡が互いに点対称となることを特徴とする請求項１に記載の下肢鍛錬器械。
【手続補正２】
【補正対象書類名】明細書
【補正対象項目名】００１４
【補正方法】変更
【補正の内容】
【００１４】
【図１】図４のＢ−Ｂ片面断面図である。
【図２】図３のＡ−Ａ片面断面図である。
【図３】本発明の平面図である。
【図４】本発明の正面図である。
【図５】本発明の右側面図である。
【図６】ペダル付き回転盤を時計回りに９０°または反時計回りに２７０°動かしたときの平面図である。
【図７】歯車Ｃの設置空間から中心軸方向を見た回転盤の斜視図である。
【手続補正３】
【補正対象書類名】明細書
【補正対象項目名】００１７
【補正方法】変更
【補正の内容】
【００１７】  つぎに、固定した双方の歯車Ａ（４）と水平に噛合して回動する歯車Ｂ（５）を伴う軸Ｂ（８）を一対の回転盤（２）の下面となる内側にそれぞれ軸止する。
【手続補正４】
【補正対象書類名】明細書
【補正対象項目名】００１８
【補正方法】変更
【補正の内容】
【００１８】  さらに、基盤（１）に固定した歯車Ａ（４）と歯数が同じであって歯車Ｂ（５）と水平に噛合して回動する歯車Ｃ（６）を伴う軸Ｃ（９）を一対の回転盤（２）の外周寄りで上面となる外側に装着するために、この歯車Ｃ（６）を伴う軸Ｃ（９）が格納できる適宜な容積相当の床面を回転盤（２）の上面から下げたうえ、側面に歯車Ｂ（５）と歯車Ｃ（６）が噛合するための開口部（１２）を有する設置空間をこの一対の回転盤（２）に造設し、この床面に歯車Ｃ（６）を伴う軸Ｃ（９）をそれぞれ軸止する。
【手続補正５】
【補正対象書類名】明細書
【補正対象項目名】００１９
【補正方法】変更
【補正の内容】
【００１９】  そのうえで、双方の歯車Ｃ（６）の上面にペダル（１０）をそれぞれ固定して、前後の向きが一対の回転盤（２）の双方の中心軸を結んだ線に直角にしたうえ、基盤（１）上で左右対称に設置する。
【手続補正６】
【補正対象書類名】明細書
【補正対象項目名】００２５
【補正方法】変更
【補正の内容】
【００２５】１    基盤
２    回転盤（対のため左右共通）
３    連動具
４    歯車Ａ（対のため左右共通）
５    歯車Ｂ（対のため左右共通）
６    歯車Ｃ（対のため左右共通）
７    軸Ａ（対のため左右共通）
８    軸Ｂ（対のため左右共通）
９    軸Ｃ（対のため左右共通）
１０  ペダル（対のため左右共通）
１１  留め具（歯車Ａ及びＢに共通）
１２  歯車Ｂと歯車Ｃが噛合するための開口部
【手続補正７】
【補正対象書類名】図面
【補正対象項目名】図６
【補正方法】変更
【補正の内容】
【図６】
2014076249.tif 000009
【手続補正８】
【補正対象書類名】図面
【補正対象項目名】図７
【補正方法】追加
【補正の内容】
【図７】
2014076249.tif 000010